(57)【要約】【課題】スクリュー固定において、スクリュー孔に人工骨等の補強材を挿入する際、スクリュー刺入孔の直視の困難性や、スクリュー孔に配置されたガイドワイヤーによる人工骨等の補強材の挿入阻害に係わらず、スクリュー孔へのスクリューの補強材の挿入を容易とし、低侵襲な経皮的スクリュー固定に対して経皮的な手技での補強を可能とする。【解決手段】スクリューの補強材の挿入装置は、外筒と内筒と案内部材とを備え、これらを互いに差し入れた状態でスライド可能とする。外筒は遠位端に人工骨等の補強材を投入する補強材投入口（人工骨投入口）と、近位端に補強材（人工骨）を挿出する補強材挿出口（人工骨挿出口）があり、補強材投入口と補強材挿出口とを内部で連通して、内筒をスライド可能とする内腔を備える。内筒は、遠位端に補強材（人工骨）を押し込む押圧面があり、内筒の両端の開口部間を内部で連通し、案内部材をスライド可能とする内腔を備える。【選択図】図１
2018027264.tif 000002
【特許請求の範囲】
【請求項１】
外筒と内筒と案内部材とが互いに差し入れた状態で各々が相互にスライド可能であり、
前記外筒は、筒体と、当該外筒の筒体の近位端側に補強材を投入する補強材投入口と、遠位端側に補強材を挿出する補強材挿出口と、前記補強材投入口と前記補強材挿出口とを内部で連通し前記内筒をスライド可能とする内腔とを備え、
前記内筒は、筒体と、当該内筒の筒体の遠位端側の端部の補強材を押し込むための押圧面と、当該内筒の筒体の両端の開口部間を内部で連通し、前記案内部材をスライド可能とする内腔とを備えることを特徴とする、スクリューの補強材の挿入装置。
【請求項２】
前記外筒は、前記外筒の筒体の近位端側に漏斗状部を備え、
前記内筒は、前記内筒の筒体の近位端側には膨出部を備え、
前記漏斗状部は前記補強材投入口を構成し、
前記膨出部の段部は、前記漏斗状部の内面との当接によって前記内筒の所定深さ以上の挿入を抑制するストッパを構成することを特徴とする、請求項１に記載のスクリューの補強材の挿入装置。
【請求項３】
前記外筒は、前記外筒の筒体の近位端側に開口部を備え、
前記内筒は、前記内筒の筒体の近位端側は膨出部を備え、
前記開口部は、前記補強材投入口を構成し、
前記案内部材は、前記外筒の筒体の内腔において、塊状の補強材が備える連通部の貫通によって、当該塊状の補強材を外筒の筒体の軸方向に沿ってスライド可能とする案内部を構成し、
前記膨出部の段部は、前記外筒の筒体の近位端側の端部と当接するストッパを構成することを特徴とする、請求項１に記載のスクリューの補強材の挿入装置。
【請求項４】
前記外筒は、前記外筒の筒体の近位端側の側面に前記内腔に連通する分岐部を備え、
前記内筒は、前記内筒の筒体の近位端側は膨出部を備え、
前記分岐部は、前記補強材投入口及び補強材の保持部を構成し、
前記膨出部の段部は、前記外筒の筒体の近位端側の端部との当接によって前記内筒の所定深さ以上の挿入を抑制するストッパを構成することを特徴とする、請求項１に記載のスクリューの補強材の挿入装置。
【請求項５】
前記請求項２又は４に記載のスクリューの補強材の挿入装置に適用する補強材であり、顆粒状、粉末状、ペースト状、液状の何れかの形状であることを特徴とする、スクリュー補強材。
【請求項６】
前記請求項３に記載のスクリューの補強材の挿入装置に適用する補強材であり、前記塊状の補強材は、中空部又は切り欠き部を備えるタブレット状、又は柱状であることを特徴とする、スクリュー補強材。
【発明の詳細な説明】
【技術分野】
【０００１】
本発明は、脊椎固定術等において、スクリューの固定を補強するために、スクリュー刺入孔からスクリュー孔内に人工骨等の補強材を挿入する装置及びスクリュー補強材に関する。
【背景技術】
【０００２】
脊椎固定術において、スクリューによる脊椎の固定が標準的な手術手技として知られている。従来の脊椎固定術におけるスクリュー固定では、手術創を大きく展開して脊椎を広く露出するため、術者が骨形態を直視下に確認しながら、フック、ワイヤー、人工骨等を用いて様々な方法でスクリュー固定の補強が可能である。しかしながら、従来のスクリュー固定は手術侵襲性が高いため、脊椎周囲の筋や靱帯等の組織侵害が大きく、術中の出血量の増加や術後の創痛の増悪をもたらす。
【０００３】
スクリュー固定では、骨粗鬆症等の原因による骨脆弱性があると、スクリューの強固な固定性の獲得と維持が難しいという課題がある。そのため、従来のスクリュー固定においては、固定を補強するために様々な手技が行われている。例えば、従来のスクリュー固定の人工骨を用いた補強法として、棒状のハイドロキシアパタイトをスクリュー孔に挿入する方法が知られている。
【０００４】
また、従来からハイドロキシアパタイト等の人工骨を用いて、粉末や顆粒状等様々な形状の人工骨を骨欠損部分に補填する方法は多くの分野の手術において行われている。その際に用いる幾つかの人工骨顆粒補填治具も知られている。（特許文献１，２参照）
【０００５】
一方、近年の低侵襲な脊椎固定術の要求から、ＭＩＳt（Minimally Invasive spine Stabilization（最小侵襲脊椎安定術））が、脊椎不安定性や脊椎変形によるインバランスの病態に対して、低侵襲に固定、制動することによって脊椎の安定性を図る手技として普及するようになった。それに伴って、従来のスクリューと比べて患者への負担が少ない低侵襲で経皮的な刺入が可能な経皮的スクリューによる固定が普及している。
【先行技術文献】
【特許文献】
【０００６】
【特許文献１】特開２０１５−１６２７６
【特許文献２】特開２０１４−１９５６３２
【発明の概要】
【発明が解決しようとする課題】
【０００７】
脊椎固定術、四肢やその他の部位の手術の骨組織へのスクリュー固定では、手術創を展開して骨表面を露出させ、直視下で骨組織にスクリューを挿入する手法の他、手術創を展開することなく骨組織に形成したスクリュー孔に経皮的スクリューを挿入する手法が知られているが、何れの手法においても強固なスクリュー固定性が求められる。
【０００８】
人工骨を用いたスクリュー固定の補強を行う際は、骨表面を露出させたスクリュー孔へのスクリュー固定、及び経皮的に作製したスクリュー孔へのスクリュー固定のいずれのスクリュー固定においても、固定性を高める補強が求められる。しかし、人工骨をスクリュー孔に挿入する際に困難性を伴うため、強固なスクリュー固定性の獲得に課題がある。
【０００９】
(a)  例えば、手術創を展開した骨表面のスクリュー孔において、人工骨を用いてスクリュー固定を補強する場合には、スクリュー孔内に、棒状のハイドロキシアパタイト等の人工骨を挿入した後、スクリューを刺入する。
【００１０】
しかし、スクリュー刺入のための案内部材としてガイドワイヤーや鋼線等がスクリュー孔に挿入されている場合は、これらの案内部材が障害となり、スクリュー孔への人工骨の挿入は困難なものとなる。そのため、ガイドワイヤー等の案内部材がスクリュー孔に挿入されている場合でも、スクリュー孔内へ人工骨を容易に挿入し、強固なスクリュー固定性の獲得と維持が求められる。
【００１１】
(b)  また、骨表面を露出させないスクリュー孔への経皮的スクリュー固定においても、スクリュー固定の補強には困難性を伴い、強固な固定性の獲得に課題がある。例えば、骨粗鬆症脊椎に対する経皮的椎弓根スクリュー（ＰＰＳ:percutaneous pedicle screw）を用いたＭＩＳｔでは、手術創が小さく脊椎を露出しないため、術者が骨形態を直視下に確認しながらフック、ワイヤー等を用いた従来のスクリュー固定の補強ができない。
【００１２】
さらに、従来の棒状のハイドロキシアパタイトをスクリュー孔に挿入する補強の方法を適用することも難しい。経皮的スクリューの刺入時には、手術創が小さいため骨表面のスクリュー刺入孔を直視下に確認することが困難で、さらに、スクリュー孔に挿入されているガイドワイヤーが障害となって、棒状の人工骨をスクリュー孔に挿入することができない。そのため、従来から行われている棒状の人工骨を用いたスクリュー固定の補強を、そのまま経皮的スクリュー固定に適用することはできない。
【００１３】
このような状況から、骨粗鬆症脊椎に対するＰＰＳを用いたＭＩＳｔにおいても、人工骨のスクリュー孔への挿入は困難であり、スクリュー孔内へ人工骨を容易に挿入し、強固なスクリュー固定性の獲得と維持が求められる。
【００１４】
特許文献には顆粒状の人工骨を用いることが記載されている。しかし、顆粒状の人工骨においても、棒状の人工骨と同様に、経皮的の有無に係わらず、スクリュー孔に挿入されたガイドワイヤーによる障害のため、スクリュー孔の内部への挿入には困難性を有することになる。これまで、ガイドワイヤーや鋼線等を案内にしたスクリュー固定において、人工骨のスクリュー孔への挿入を容易として固定性を有効に補強する方法は知られておらず、またスクリューの補強に適用可能な装置についても知られていない。
【００１５】
さらに、経皮的スクリューでは、スクリューの刺入時においてはスクリュー刺入孔が直視できないため、人工骨を挿入する適切な位置の確認がより困難である。これまで、経皮的スクリュー固定の固定性を、低侵襲性を損なうことなく、有効に補強する方法は知られておらず、経皮的スクリューの補強に適用可能な装置についても知られていない。
【００１６】
そこで、本発明は前記した従来の問題点を解決し、スクリュー固定において、スクリュー孔への人工骨等のスクリューの補強材の挿入を容易とすることを目的とする。
【００１７】
また、スクリュー刺入孔の直視の困難性や、スクリュー孔に設置されたガイドワイヤーによるスクリューの補強材の挿入阻害に係わらず、スクリュー孔へのスクリューの補強材の挿入を適切な位置へ、容易に行うことを目的とする。
【００１８】
さらに、低侵襲な経皮的スクリュー固定に対して、低侵襲性を損なわずに経皮的な手技で補強を可能にすることを目的とする。
【課題を解決するための手段】
【００１９】
本発明のスクリューの補強材の挿入装置は、外筒と内筒と案内部材とを互いに差し入れた状態で組み合わせる構成になっており、それらが相互にスライド可能な機構を備える。なお、案内部材としては、ガイドワイヤーの他、鋼線等を用いることができる。また、補強材としては、人工骨の他、患者本人から採取した自家骨や、患者以外のヒトから採取した同種骨、挿入後に硬化する骨セメント等の材料を用いることができる。
【００２０】
外筒は中空の筒体からなり、この筒体の両端のうち、近位端側には人工骨等の補強材を投入する補強材投入口を備え、遠位端側には補強材を挿出する補強材挿出口を備え、補強材投入口と補強材挿出口とを内部で連通する内腔を備えている。内腔は、内筒をスライド可能としている。
【００２１】
内筒は中空の筒体からなり、この筒体の両端のうち、近位端側と遠位端側の両端の開口部間を内部で連通する内腔を備え、この内腔はガイドワイヤー等の案内部材のスライドを可能としている。内筒の筒体の遠位端側の端部には補強材をスクリュー孔内に押し込むための押圧面を備える。
【００２２】
ここで、遠位端は、補強材をスクリュー孔に挿入する際に術者から遠い側の端部を意味し、スクリュー孔と接する端部である。また、近位端は、同様の際に、術者に近い側の端部を意味し、補強材の投入等の操作を行う端部である。
【００２３】
本発明のスクリューの補強材の挿入装置は、以下の手順でスクリューを取り付ける。
(a)  予め、案内部材を軟部組織及び骨組織に刺入し、スクリューの刺入部の位置決めをする。
(b)  スクリュー刺入点から、骨組織内へスクリュー孔を形成する。
(c)  形成したスクリュー孔へ向けて、案内部材に沿って外筒を挿入し、外筒の遠位端をスクリュー刺入点へ設置し、位置決めする。
(d)  外筒の近位端の補強材投入口から補強材を外筒の内腔に導入し、補強材挿出口からスクリュー孔に向けて挿入する。
(e)  外筒の近位端の補強材投入口から、案内部材に沿って内筒の遠位端を挿入し、内筒を外筒の内腔内で、スクリュー孔へ向けてスライドさせる。
(f)  内筒の遠位端の押圧面を、外筒内に挿入した補強材に当接させ、スクリュー孔内へ押圧する。
(g)  内筒を、案内部材に沿って外筒の内腔内でスライドさせて取り出す。さらに案内部材に沿って外筒も取り出す。
(h)  案内部材に沿ってスクリューを挿入する。
(i)  スクリューをドライバでスクリュー孔へねじ込む。
(j)  案内部材を引き抜く。
【００２４】
本発明のスクリューの補強材の挿入装置において、外筒はスクリュー孔への補強材の導入を容易にし、さらに、内筒の押圧面はスクリュー孔へ向けて導入された外筒内の補強材を押圧して、スクリュー孔内に補強材をより効率的に挿入する。
【００２５】
本発明は、上記の基本構成に基づく第１の形態〜第３の形態を備える。
【００２６】
（第１の形態）
第１の形態において、外筒は筒体の近位端側に漏斗状部を備え、内筒は筒体の近位端側に膨出部を備える。
【００２７】
漏斗状部は補強材投入口を構成し、外筒の内腔へ補強材を円滑に導入する。膨出部の段部は漏斗状部の内面と当接することによって、内筒が所定の深さ以上に挿入されることを抑制するストッパを構成する。
【００２８】
（第２の形態）
第２の形態において、内筒は筒体の近位端側に膨出部を備え、膨出部の段部は筒体の近位端側の端部と当接するストッパを構成する。外筒の内腔において、塊状の補強材が備える溝部又は連通部を案内部材が貫通することによって、補強材を案内部材に沿って外筒内の軸方向にスライド可能とする。
【００２９】
第２の形態において、外筒の近位端側にある開口部は、第１の形態が備える漏斗状部を介することなく、補強材を外筒の内腔へ直接挿入する補強材投入口を構成する。
【００３０】
内筒の近位端は膨出部を備える。膨出部の段部は、外筒の近位端部と当接して、内筒が所定の深さ以上に挿入されることを抑制するストッパを構成する。
【００３１】
第１の構成例及び第２の構成例では、補強材として、外筒の内腔内に挿入可能なものであれば、特に形状に制限なく使用可能である。例えば、顆粒状、粉末状やタブレット状、柱状等の様々な形状の補強材を使用することが可能である。
【００３２】
補強材を外筒の内腔に挿入する際、案内部材に障害されない形状の補強材であれば、どのような形状の補強材でも適用が可能である。具体的には、補強材の形状は顆粒状や粉末状に限らず、中空部を備えるリング状や竹輪状、一部に切り欠き部を備えるＣ字状や軸方向に溝を備える柱状等、案内部材に障害されない形状に成形された塊状の補強材も適用可能である。特に第２の形態は、塊状の補強材がより適している。
【００３３】
例えば、軸方向に溝を備える柱状の補強材を用いる場合、案内部材が溝を案内するように補強材を配置することで、外筒の内腔において、この補強材が案内部材に沿ってスライド可能となる。
【００３４】
（第３の形態）
第３の形態において、外筒は、筒体の近位端側の側面に内腔に連通する分岐部を備え、内筒は、筒体の近位端側に膨出部を備える。
【００３５】
分岐部は、補強材投入口及び保持部を構成し、補強材を保持部に一次的に保持した後、外筒の内腔へ補強材を円滑に導入する。分岐部と外筒の側面に形成された内腔とが合流する補強材導入口は、外筒の内腔に挿入された内筒によって開閉自在である。この補強材導入口の開閉は、外筒の内腔における内筒のスライド移動によって行うことができる。
【００３６】
内筒が外筒の内腔に挿入され、内筒の外側面が補強材導入口を閉じることによって、補強材投入口へ投入された補強材を分岐部内に保持する。内筒を外筒の内腔から引き抜く方向にスライド移動させて、補強材導入口を開けることによって、分岐部の保持部内に保持されていた補強材を外筒の内腔に導入する。
【００３７】
内筒の膨出部が備える段部は、外筒の近位端部と当接する位置において、内筒の筒体の側面が分岐部の補強材導入口を閉じて、分岐部の保持部内に補強材を保持すると共に、内筒が所定の深さ以上に挿入されることを抑制するストッパを構成する。
【００３８】
第３の形態では、外筒内の案内部材に障害されずに、分岐部を介して外筒内に導入可能な補強材の形状であれば、様々な形状の補強材が使用可能である。特に、分岐部を介して補強材を導入する構成上、補強材は顆粒状あるいは粉末状がより適当である。
【発明の効果】
【００３９】
以上説明したように、本発明のスクリューの補強材の挿入装置を用いることによって、
（１）スクリュー固定において、スクリュー孔に補強材を容易に挿入することができる。
（２）スクリュー刺入孔の直視の困難性や、スクリュー孔に配置された案内部材による補強材の挿入阻害に係わらず、スクリュー孔への補強材の挿入を確実に且つ容易に行うことができる。
（３）骨脆弱性のために十分なスクリューの固定性を得られない場合において、強固な固定性の獲得と維持が可能となる。
（４）低侵襲な経皮的スクリュー固定に対して、低侵襲性を損なわずに経皮的に補強が可能となる。
【図面の簡単な説明】
【００４０】
【図１】本発明のスクリューの補強材の挿入装置の第１の構成例を説明するための断面図である。
【図２】本発明のスクリューの補強材の挿入装置の第１の構成例の動作例を説明するための断面図である。
【図３】本発明のスクリューの補強材の挿入装置の第２の構成例を説明するための断面図である。
【図４】本発明のスクリューの補強材の挿入装置の第２の構成例の動作例を説明するための断面図である。
【図５】本発明のスクリューの補強材の挿入装置の第３の構成例を説明するための断面図である。
【図６】本発明のスクリューの補強材の挿入装置の第３の構成例の動作例を説明するための断面図である。
【図７】本発明のスクリューの補強材の挿入装置に用いる補強材の例を説明するための図である。
【図８】本発明のスクリューの補強材の挿入装置によるスクリューの引き抜き強度を説明するための図である。
【発明を実施するための形態】
【００４１】
以下、本発明の実施の形態について、図を参照しながら詳細に説明する。以下、図１，図２を用いて本発明のスクリューの補強材の挿入装置の第１の構成例の概略構成及び動作例を説明し、図３，図４を用いて本発明のスクリューの補強材の挿入装置の第２の構成例の概略構成及び動作例を説明し、図５，図６を用いて本発明のスクリューの補強材の挿入装置の第３の構成例の概略構成及び動作例を説明する。なお、以下の各構成例では、補強材として人工骨を例として説明するが、補強材は、人工骨に限らず、患者本人から採取した自家骨、患者以外のヒトから採取した同種骨、挿入後に硬化する骨セメント等の材料を用いることができる。また、以下の各構成例では、経皮的スクリューを例として説明するが、経皮的スクリューに限らず通常のスクリューについても同様とすることができる。
なお、以下の各構成例の説明では、補強材投入口、補強材挿出口、補強材導入口は、それぞれ人工骨投入口、人工骨挿出口、人工骨導入口で示し、案内部材としてガイドワイヤーを用いる例を示している。
【００４２】
（スクリューの補強材の挿入装置の第１の構成例）
図１は本発明のスクリューの補強材の挿入装置の第１の構成例の概略を説明する図であり、図２は動作例を説明する図であり、何れも断面を示している。
【００４３】
なお、第１の構成例及び後述する第２の構成例では、補強材として用いる人工骨として、外筒の内腔内に挿入可能なものであれば、特に形状や状態に制限なく使用可能である。例えば、顆粒状、粉末状、ペースト状、液状等の人工骨を使用することが可能である。
【００４４】
図１は第１の構成例の概略である。また、図１（ａ）は外筒を示し、図１（ｂ）は内筒を示し、図１（ｃ）はガイドワイヤーを示している。図１（ｄ），図１（ｅ）は、外筒と、内筒と、ガイドワイヤーとを互いに差し入れた状態を示し、図１（ｅ）は人工骨を挿入した状態を示している。
【００４５】
本発明のスクリューの補強材の挿入装置１Ａは、外筒１０と内筒２０とガイドワイヤー３０とを互いに差し入れた状態でスライド可能に備える。
【００４６】
図１（ａ），（ｂ）において、外筒１０は、筒体１１を備える。筒体１１の近位端側の開口部１３には人工骨４０を投入する人工骨投入口１５を備え、遠位端側には人工骨４０を挿出する人工骨挿出口１６を備える。人工骨投入口１５と人工骨挿出口１６とは内腔１２によって連通され、内筒２０をスライド可能としている。
【００４７】
内筒２０は、筒体２１を備える。内筒２０の筒体２１は、遠位端側の端部に押圧面２７と、内筒２０の筒体２１の両端の近位開口部２３と遠位開口部２４の開口部間を内部で連通し、ガイドワイヤー３０をスライド可能とする内腔２２とを備える。
【００４８】
外筒１０は、筒体１１の近位端側に首部１７と漏斗状部１４を備え、漏斗状部１４は人工骨投入口１５を構成する。開口部１３の口径が大きい側から人工骨４０を投入し、漏斗状部１４から外筒１０の内腔１２内へ人工骨４０を導入する。人工骨挿出口１６は、外筒１０の筒体１１の内腔１２内に導入された人工骨４０をスクリュー孔１０５側（図１（ｅ））に挿出する。
【００４９】
内筒２０は、筒体２１の近位端側に膨出部２５を備え、膨出部２５の段部２６は、漏斗状部１４の内面と当接して、内筒２０が所定深さ以上に挿入されることを抑制するストッパを構成する。
【００５０】
なお、遠位端は、人工骨４０をスクリュー孔に挿入する際に術者から遠い側の端部を意味し、スクリュー孔と接する端部である。また、近位端は、同様に人工骨４０をスクリュー孔に挿入する際において、術者に近い側の端部を意味し、人工骨４０の投入等の操作を行う端部である。
【００５１】
図１（ｂ）において、内筒２０は遠位端に人工骨４０を押し込む押圧面２７を備える。また、内筒２０の両端の近位開口部２３及び遠位開口部２４の両開口部間を内部で連通する内腔２２を備え、内部でガイドワイヤー３０（図１（ｃ））をスライド可能とする。
【００５２】
内筒２０は近位端に膨出部２５を備える。内筒２０と膨出部２５を連結する段部２６は、漏斗状部１４の内面と当接して、内筒２０が所定の深さ以上に挿入されることを抑制するストッパを構成する。
【００５３】
図１（ｄ），（ｅ）において、内筒２０が押し下げられ遠位方向へ移動すると、押圧面２７はスクリュー孔１０５に挿出された人工骨４０を押圧し、スクリュー孔１０５内に人工骨４０を効率的に挿入する。また、押圧面２７を人工骨４０に当接させた状態で、内筒２０の近位開口部上面を、ハンマー等（図示していない）で複数回軽く叩くことにより、人工骨４０に振動を付加しつつ圧力を加え、スクリュー孔１０５内の深部にまで、人工骨４０を効率的に挿入することが可能となる。
【００５４】
なお、図１（ｅ）において、外筒１０の筒体１１は軟部組織１０１を貫通した後、骨組織１０２にわずかに当たる位置に挿入され、内筒２０の筒体２１の遠位端の端部は、外筒の筒体１１の遠位端の端部と同一位置から数mm程度だけ遠位方向に突出した状態となる。この突出量は、例えば０〜１０mmの範囲が良好であり、１〜２mmがより好適である。
【００５５】
また、図１（ｅ）において、軟部組織１０１において外筒１０が刺入する位置を刺入点１０３とし、骨組織１０２においてスクリューが刺入する骨表面の孔部をスクリュー刺入孔１０４とし、骨組織１０２の内部にスクリューが挿入される孔部をスクリュー孔１０５としている。
【００５６】
本発明のスクリューの補強材の挿入装置の第１の構成例は、図２（ａ）〜図２（ｊ）に示すように、以下の手順でスクリューの挿入及び補強を行う。
(a)  ニードル等（図示していない）を用いて刺入点１０３にガイドワイヤー３０を挿入し、位置決めする。
(b)  ガイドワイヤー３０にダイレーター（図示していない）を通して軟部組織１０１を拡張し、オウル等（図示していない）を用いて骨組織１０２にスクリュー孔１０５を形成する。
(c)  ガイドワイヤー３０に沿って外筒１０を挿入し、スクリュー孔１０５に外筒１０の遠位端を設置する。
(d)  外筒１０の近位端の人工骨投入口１５から、人工骨４０を外筒１０の内腔１２に導入し、スクリュー孔１０５に向けて人工骨４０を送り込む。
(e)  外筒１０の近位端の人工骨投入口１５から、ガイドワイヤー３０に沿って内筒２０の遠位端を挿入し、内筒２０を外筒１０の内腔２２内でスライドさせる。
(f)  内筒２０の遠位端の押圧面２７を挿入した人工骨４０に当接させ、内筒２０を遠位方向へ押し込み、人工骨４０をスクリュー孔１０５内へ押圧する。
(g)  内筒２０を、ガイドワイヤー３０に沿って外筒１０の内腔１２内でスライドさせて取り出す。さらに外筒１０もガイドワイヤー３０に沿って取り出す。なお、内筒２０と外筒１０を同時に取り出しても良い。
(h)  ガイドワイヤー３０に沿ってスクリュー５０をスクリュー孔１０５に挿入する。
(i)  スクリュー５０をドライバ（図示していない）でねじ込む。これによって、スクリュー５０が人工骨４０と共にスクリュー孔１０５内に取り付けられる。
(j)  ガイドワイヤー３０を引き抜く。このとき、スクリュー５０は人工骨４０と共にスクリュー孔１０５内に保持される。
【００５７】
（スクリューの補強材の挿入装置の第２の構成例）
図３は本発明のスクリューの補強材の挿入装置の第２の構成例の概略を説明する図であり、図４は動作例を説明する図である。図３，４は何れも断面を示している。
【００５８】
第２の構成例では、外筒の近位端の人工骨投入口は、前記した第１の構成例の漏斗状部を介することなく、人工骨を外筒の内腔へ直接挿入する構成である。
【００５９】
この構成によれば、第１の構成例と同様に、人工骨として、外筒の内腔内に挿入可能なものであれば、特に形状や状態に制限なく使用可能である。例えば、顆粒状や粉末状の人工骨の他、中空のリング状、竹輪状、Ｃ字状、軸方向に溝を備える柱状等、ガイドワイヤーに障害されない形状に成形された塊状の人工骨も使用可能である。ただし、開口部が小径であることから、塊状の人工骨が好適であって、顆粒状や粉末状の人工骨は好適とは云えない。
【００６０】
例えば図３及び図４で示すような、長さ方向（軸方向）に溝部４１ａを備える柱状人工骨４１を用いる場合、ガイドワイヤー３０が溝部４１ａを案内するように柱状人工骨４１を配置することで、筒体１１の内腔１２内において、柱状人工骨４１がガイドワイヤー３０に沿ってスライド可能となる。
【００６１】
なお、第１の構成例及び第２の構成例は、上記した種々の形状をもった人工骨を同時に複数用いることも可能である。
【００６２】
本発明のスクリューの補強材の挿入装置１Ｂは、外筒１０と内筒２０とガイドワイヤー３０とを互いに差し入れた状態でスライド可能に備える。なお、以下では、第１の構成例で用いた構成要素と同等あるいは同様の機能を備えた部材については同じ符号を付与している。
【００６３】
図３（ａ）は外筒１０を示し、図３（ｂ）は内筒２０を示し、図３（ｃ）はガイドワイヤーを示している。図３（ｄ），図３（ｅ）は、第２の構成例において、外筒と内筒、ガイドワイヤーを互いに差し入れた状態を示し、図３（ｅ）は人工骨４１を挿入した状態を示している。
【００６４】
図３（ａ），（ｂ）において、外筒１０は、筒体１１を備える。外筒１０の筒体１１の近位端側に柱状人工骨４１を投入する人工骨投入口１５を備え、遠位端側に柱状人工骨４１を挿出する人工骨挿出口１６を備える。人工骨投入口１５と人工骨挿出口１６とは内腔１２によって連通され、内筒２０をスライド可能としている。
【００６５】
図３（ａ）において、外筒１０は近位端に人工骨投入口１５を備え、遠位端側に人工骨挿出口１６を備え、人工骨投入口１５と人工骨挿出口１６とを連通する内腔１２を備える。人工骨投入口１５から内腔１２内へ導入された柱状人工骨４１は、内腔１２を通過した後、人工骨挿出口１６からスクリュー孔側（図３（ｅ））に挿出される。また、外筒１０の内腔１２は内部で内筒２０をスライド移動可能とする。
【００６６】
図３（ｂ）において、内筒２０は、筒体２１を備える。内筒２０の筒体２１は、遠位端側の端部の押圧面２７と、内筒２０の筒体２１の両端の近位開口部２３と遠位開口部２４の開口部間を内部で連通し、ガイドワイヤー３０をスライド可能とする内腔２２とを備える。さらに、内筒２０は、筒体２１の近位端側に膨出部２５を備え、膨出部２５の段部２６は、外筒１０の近位端側の端部のフランジ部分と当接して、内筒２０が所定深さ以上に挿入されることを抑制するストッパを構成する。
【００６７】
図３（ｄ），（ｅ）において、内筒２０が押し下げられ遠位方向へ移動すると、押圧面２７は外筒１０の内腔１２からスクリュー孔１０５に向けて柱状人工骨４１を押圧し、さらに、スクリュー孔１０５に挿出された柱状人工骨４１を押圧し、スクリュー孔１０５内に柱状人工骨４１を効率的に挿入する。また、押圧面２７を柱状人工骨４１に当接させた状態で、内筒２０の近位開口部上面を、ハンマー等（図示していない）で複数回軽く叩くことにより、柱状人工骨４１に振動を付加しつつ圧力を加え、スクリュー孔１０５内の深部にまで、柱状人工骨４１を効率的に挿入することが可能となる。
【００６８】
なお、図３（ｅ）において、第１の構成例と同様に、外筒１０の筒体１１は軟部組織１０１を貫通した後、骨組織１０２にわずかに当たる位置に挿入され、内筒２０の筒体２１の遠位端の端部は、外筒１０の筒体１１の遠位端の端部と同一位置から数mm程度だけ遠位方向に突出した状態となる。この突出量は、例えば０〜１０mmの範囲が良好であり、１〜２mmがより好適である。また、図３（ｅ）において、軟部組織１０１において外筒１０が刺入する位置を刺入点１０３とし、骨組織１０２においてスクリューが刺入する骨表面の孔部をスクリュー刺入孔１０４とし、骨組織１０２の内部にスクリューが挿入される孔部をスクリュー孔１０５としている。
【００６９】
図３（ｅ）で示すように、長さ方向（軸方向）に溝部４１ａを備える柱状人工骨４１を用いる場合、ガイドワイヤー３０が溝部４１ａを案内するように柱状人工骨４１を配置することで、外筒１０の筒体１１の内腔１２において、柱状人工骨４１はガイドワイヤー３０に沿ってスライド可能となる。
【００７０】
本発明のスクリューの補強材の挿入装置の第２の構成例は、図４（ａ）〜図４（ｊ）に示すように、以下の手順でスクリューの挿入及び補強を行う。
(a)  ニードル等（図示していない）を用いて刺入点１０３にガイドワイヤー３０を挿入し、位置決めする。
(b)  ガイドワイヤー３０にダイレーター（図示していない）を通して軟部組織１０１を拡張し、オウル等（図示していない）を用いて骨組織１０２にスクリュー孔１０５を形成する。
(c)  ガイドワイヤー３０に沿って外筒１０を挿入し、スクリュー孔１０５に外筒１０の遠位端を設置する。
(d)  外筒１０の近位端の人工骨投入口１５から、人工骨（柱状人工骨４１）を外筒１０の内腔１２に導入し、人工骨（柱状人工骨４１）を、溝部４１ａをガイドワイヤー３０に案内させることでスライド移動させ、スクリュー刺入孔１０４及びスクリュー孔１０５に挿入する。
(e)  外筒１０の近位端の人工骨投入口１５から、ガイドワイヤー３０に沿って内筒２０の遠位端の遠位開口部２４を挿入し、内筒２０を外筒１０の内腔１２内でスライドさせる。
(f)  内筒２０の遠位端の押圧面２７を、内腔１２内に挿入した人工骨（柱状人工骨４１）に当接させ、さらに、内筒２０を遠位方向へ押し込み、人工骨（柱状人工骨４１）をスクリュー孔１０５内へ押圧する。その際、人工骨（柱状人工骨４１）の形状によっては、押圧されることによって人工骨（柱状人工骨４１）が破砕される場合もあるが、柱状人工骨はスクリューが挿入された際に破砕されるため、押圧面２７によって破砕されたとしても支障はない。
(g)  内筒２０をガイドワイヤー３０に沿って外筒１０の内腔１２内でスライドさせて取り出す。さらに外筒１０もガイドワイヤー３０に沿って取り出す。なお、内筒２０と外筒１０を同時に取り出しても良い。
(h)  ガイドワイヤー３０に沿ってスクリュー５０をスクリュー孔１０５に挿入する。
(i)  スクリュー５０をドライバ（図示していない）でねじ込む。これによって、スクリュー５０が人工骨（柱状人工骨４１）と共にスクリュー孔１０５内に取り付けられる。
(j)  ガイドワイヤー３０を引き抜く。このとき、スクリュー５０は人工骨（柱状人工骨４１）と共にスクリュー孔１０５内に保持される。
【００７１】
（スクリューの補強材の挿入装置の第３の構成例）
図５は本発明のスクリューの補強材の挿入装置の第３の構成例を説明する図であり、図６は動作例を説明する図である。図５，６は何れも断面を示している。
【００７２】
第３の構成例は、顆粒状、粉末状、ペースト状及び液状の人工骨に好適な構成であり、例えば図５及び図６で示すような、外筒の分岐部を介して外筒の内腔内に顆粒状あるいは粉末状等の人工骨を導入する。なお、ここで、顆粒状の人工骨は、分岐部に設けた人工骨投入口や人工骨導入口を通過することができる程度の大きさを持つものであればよい。
【００７３】
本発明のスクリューの補強材の挿入装置１Ｃは、第１，２の構成例と同様に、外筒１０と内筒２０とガイドワイヤー３０とを互いに差し入れた状態にスライド可能に備える。なお、以下では、第１，２の構成例で用いた構成要素と同等あるいは同様の機能を備えた部材については同じ符号を付与している。
【００７４】
外筒１０は、筒体１１の近位端側の側面に内腔１２に連通する分岐部１８を備え、内筒２０は、筒体２１の近位端側に膨出部２５を備える。分岐部１８は、人工骨４０を投入する人工骨投入口１５、投入した人工骨４０を一時的に保持する保持部１８ａ、及び保持部１８ａに保持する人工骨４０を外筒１０の筒体１１の内腔１２内に導入する人工骨導入口１８ｂを備える。
【００７５】
内筒２０の膨出部２５の段部２６は、外筒１０の筒体１１の近位端側の端部と当接して内筒２０が所定深さ以上に挿入されることを抑制するストッパを構成する。
【００７６】
図５（ａ）は外筒１０を示し、図５（ｂ）は内筒２０を示し、図５（ｃ）はガイドワイヤー３０を示している。図５（ｄ），図５（ｅ）は、第３の構成例において、外筒１０と内筒２０と、ガイドワイヤー３０を互いに差し入れた状態を示し、図５（ｅ）は人工骨４０を挿入した状態を示している。
【００７７】
図５（ａ）において、外筒１０は筒体１１の側面に分岐部１８を備える。分岐部１８は、人工骨４０を投入する人工骨投入口１５、投入した人工骨４０を一時的に保持する保持部１８ａ、及び保持部１８ａに保持する人工骨４０を筒体１１の内腔１２内に円滑に導入する人工骨導入口１８ｂを備える。人工骨導入口１８ｂは、保持部１８ａと内腔１２とを空間的に合流させて連通させる。人工骨導入口１８ｂの開閉は、筒体１１の内腔１２内において、内筒２０の筒体２１をスライド移動させることで行うことができる。
【００７８】
図５（ｂ），（ｄ）において、内筒２０の近位端は膨出部２５を備える。膨出部２５の段部２６は、外筒１０の近位端部と当接する位置において、分岐部１８の人工骨導入口１８ｂを閉じて、人工骨４０を保持部１８ａ内に保持すると共に、内筒２０が所定の深さ以上に挿入されることを抑制するストッパを構成する。
【００７９】
内筒２０が外筒１０の内腔１２内に挿入され、内筒２０の外側面が人工骨導入口１８ｂを閉じることによって、人工骨投入口１５から投入された人工骨４０を保持部１８ａ内に保持する。内筒２０を外筒１０の内腔１２から引く抜く方向にスライド移動させると、人工骨導入口１８ｂは開口され、分岐部１８の保持部１８ａ内に保持されていた人工骨４０を、人工骨導入口１８ｂを通して筒体１１の内腔１２内に導入する。
【００８０】
図５（ｅ）において、押圧面２７は、外筒１０の内腔１２からスクリュー孔１０５へ人工骨４０を押圧して、スクリュー孔１０５内に人工骨４０を効率的に挿入する。その際、内筒２０を遠位方向へ移動させることで、人工骨４０をスクリュー孔１０５内へ押し込むことができる。また、押圧面２７を人工骨４０に当接させた状態で、内筒２０の近位開口部２３の上面を、ハンマー等（図示していない）で複数回軽く叩くことにより、人工骨４０に振動を付加しつつ圧力を加え、スクリュー孔１０５内の深部にまで、人工骨４０を効率的に挿入することが可能となる。
【００８１】
本発明のスクリューの補強材の挿入装置の第３の構成例は、図６（ａ）〜図６（ｊ）に示すように、以下の手順でスクリューの挿入及び補強を行う。
(a)  ニードル等（図示していない）を用いて刺入点１０３にガイドワイヤー３０を挿入し、位置決めする。
(b)  ガイドワイヤー３０にダイレーター（図示していない）を通して軟部組織１０１を拡張し、オウル等（図示していない）を用いて骨組織１０２にスクリュー孔１０５を形成する。
(c)  ガイドワイヤー３０に沿って外筒１０を挿入し、スクリュー孔１０５に外筒１０の遠位端を設置する。外筒１０の側面にある人工骨導入口１８ｂを、挿入した内筒２０によって閉じた状態にした後、分岐部１８の人工骨投入口１５から人工骨４０を投入し、分岐部１８の保持部１８ａ内に人工骨４０を保持する。
(d)  内筒２０を近位方向にスライド移動させることによって、人工骨導入口１８ｂを開き、人工骨４０を外筒１０の内腔１２に導入し、スクリュー孔１０５へ向けて人工骨４０を送り込む。
(e)  ガイドワイヤー３０に沿って内筒２０を外筒１０の内腔１２内でスライドさせる。
(f)  内筒２０の遠位端の押圧面２７を人工骨４０に当接させ、内筒２０を遠位方向へ押し込み、人工骨４０をスクリュー孔１０５内へ押圧する。
(g)  内筒２０の筒体２１を、ガイドワイヤー３０に沿って外筒１０の筒体１１の内腔１２内でスライドさせて取り出す。さらに外筒１０もガイドワイヤー３０に沿って取り出す。なお、内筒２０と外筒１０を同時に取り出しても良い。
(h)  ガイドワイヤー３０に沿ってスクリュー５０（図示していない）を挿入する。
(i)  スクリュー５０（図示していない）をドライバ（図示していない）でねじ込む。これによって、スクリュー５０が人工骨４０と共にスクリュー孔１０５内に取り付けられる。
(j)  ガイドワイヤー３０を引き抜く。このとき、スクリュー５０は人工骨４０共にスクリュー孔１０５内に保持される。
【００８２】
（補強材の形状例）
図７を用いて、本発明のスクリューの補強材の挿入装置に適用することができる補強材の形状例について説明する。なお、図７に示す補強材の形状例は、上記した第１の構成例及び第２の構成例のスクリューの補強材の挿入装置に好適に適用することができる。何れの補強材の形状例も、ガイドワイヤーを案内としてスライドするために、溝、切り込み部又は開口等を備えている。前述のごとく、補強材は図７に示した形状以外にも、顆粒状や粉末状のものや、挿入後に硬化するペースト状あるいは液状のものも適用可能である。補強材は、人工骨に限らず、自家骨、同種骨、骨セメント等の材料を用いることができるが、以下に示す例では人工骨を用いて説明する。
【００８３】
（第１，２の例）
図７（ａ）〜（ｄ）は第１，２の例（柱状人工骨４１、４２）を示し、図７（ｂ），（ｄ）はガイドワイヤー３０を通した状態を示している。
【００８４】
柱状人工骨４１、４２は、一部に切り欠きを有する略Ｃ字状の断面形状を備えた略円柱状体あるいは略四角柱状体であり、切り欠き部分はガイドワイヤー３０を通す溝部４１ａ，４２ｂを構成している。溝部４１ａ，４２ｂに沿ってガイドワイヤー３０を通すことによって、柱状人工骨４１、４２はガイドワイヤー３０を案内としてスライドさせることができる。
【００８５】
（第３の例）
図７（ｅ），（ｆ）は第３の例（人工骨４３）を示し、図７（ｆ）はガイドワイヤー３０を通した状態を示している。
【００８６】
人工骨４３は、中心部の孔４３ａを有する環状の断面形状を備えた竹輪状の円柱状体であり、中心部の孔４３ａにはガイドワイヤー３０が通される。中心部の孔４３ａにガイドワイヤー３０を通すことによって、人工骨４３はガイドワイヤー３０を案内としてスライドさせることができる。
【００８７】
第３の例において、断面形状が環状の円柱状体に代えて、断面形状を中位部に孔を備えたロの字状とする四角柱状体としても良い。
【００８８】
（第４の例）
図７（ｇ），（ｈ）は第４の例（人工骨４４）を示し、図７（ｈ）はガイドワイヤー３０を通した状態を示している。
【００８９】
人工骨４４は、中心部分の孔４４ａを有する環状の断面形状を備えたタブレット状体であり、中心部の孔４４ａにはガイドワイヤー３０が通される。複数のタブレット状体の人工骨４４を重ね、各人工骨４４の中心部の孔４４ａにガイドワイヤー３０を通すことによって、人工骨４４はガイドワイヤー３０を案内としてスライドさせることができる。
【００９０】
（第５の例）
図７（ｉ），（ｊ）は第５の例（人工骨４５）を示し、図７（ｊ）はガイドワイヤー３０を通した状態を示している。
【００９１】
人工骨４５は、一部に切り欠きを有する略Ｃ字状の断面形状を備えたタブレット状体であり、切り欠き部分はガイドワイヤー３０を通す溝部４５ａを構成している。複数のタブレット状体の人工骨４５を重ね、各人工骨４５の溝部４５ａにガイドワイヤー３０を通すことによって、人工骨４５はガイドワイヤー３０を案内としてスライドさせることができる。
【００９２】
（第６の例）
図７（ｋ），（ｌ）は第６の例（人工骨４６）を示し、図７（ｌ）はガイドワイヤー３０を通した状態を示している。
【００９３】
人工骨４６は、２つの部材４６ａ，４６ｂから成り、一方の部材４６ａの一部には、ガイドワイヤーを通す切り欠きを有し、この切り欠き部分が溝部４６ｃを構成している。溝部４６ｃにガイドワイヤー３０を通すことによって、人工骨４６はガイドワイヤー３０を案内としてスライドさせることができる。
【００９４】
（第７の例）
図７（ｍ），（ｎ）は第７の例（人工骨４７）を示し、図７（ｎ）はガイドワイヤー３０を通した状態を示している。
【００９５】
人工骨４７は螺旋状の形状であり、中心部はガイドワイヤーを通す通路を構成している。螺旋形状の中心部にガイドワイヤー３０を通すことによって、人工骨４７はガイドワイヤー３０を案内としてスライドさせることができる。
【００９６】
（スクリューの引き抜き強度）
図８を用いて、本発明のスクリューの補強材の挿入装置によるスクリューの引き抜き強度を説明する。なお、以下では、経皮的スクリュー（ＰＰＳ）の例について示している。
【００９７】
図８（ａ）は、経皮的スクリュー（ＰＰＳ）の最大引き抜き強度について、本発明のスクリューの補強材の挿入装置及び人工骨である顆粒状のハイドロキシアパタイト（ＨＡ）を用いた補強の有無での比較を示している。
【００９８】
図８（ｂ）は、スクリューの引き抜き試験において、スクリューが引き抜かれる方向へ偏位(0.5 mm, 1 mm,2 mm,3 mm,5 mm,10mm)した場合、各々の位置での経皮的スクリュー（ＰＰＳ）の引き抜き強度について、本発明を用いた補強の有無での比較を示している。
【００９９】
本発明のスクリューの補強材の挿入装置を用いた経皮的スクリューの固定は、従来の固定と比較して最大引き抜き強度において約２０％の向上が認められる。
【０１００】
また、引き抜き方向へスクリューが偏位した場合であっても、本発明を用いた経皮的スクリュー固定の補強によって、従来の固定と比較して引き抜き強度の向上が認められる。
【０１０１】
本発明のスクリューの補強材の挿入装置は、低侵襲の手技で経皮的スクリュー固定の効果的な補強を可能にする。その結果として、骨脆弱性のある脊椎患者に対する経皮的スクリューを用いた低侵襲手術の適用拡大が期待される。
【０１０２】
なお、本発明は前記各実施の形態に限定されるものではない。本発明の趣旨に基づいて種々変形することが可能であり、これらを本発明の範囲から排除するものではない。
【産業上の利用可能性】
【０１０３】
本発明のスクリューの補強材の挿入装置において、使用する人工骨はハイドロキシアパタイトに限らず、β−TCP(β-リン酸三カルシウム)等の様々な人工骨やそれらに準じた材料についても適用が期待される。さらに、挿入時に特定の形態をもたないペースト状あるいは液状で、挿入後に硬化する人工骨や骨セメント等の材料についても適応が期待される。
【０１０４】
また、人工骨のみならず、従来から様々な手術で骨移植に用いられている患者本人から採取した自家骨や、患者以外のヒトから採取した同種骨を補強材料として用いることも可能である。
【０１０５】
本発明のスクリューの補強材の挿入装置は、脊椎固定術の他、四肢や他の部位の手術のスクリュー固定に使用する装置への適用が期待される。
【０１０６】
また、経皮的スクリュー固定の手術に限らず、手術創を展開して骨表面を露出して行う経皮的ではない手術においても、ガイドワイヤー等の鋼線を用いたスクリューの刺入に際して、本発明を適応することが可能である。
【符号の説明】
【０１０７】
１，１Ａ，１Ｂ，１Ｃ    スクリューの補強材の挿入装置
１０            外筒
１１            筒体
１２            内腔
１３            開口部
１４            漏斗状部
１５            人工骨投入口
１６            人工骨挿出口
１７            首部
１８            分岐部
１８ａ          保持部
１８ｂ          人工骨導入口
２０            内筒
２１            筒体
２２            内腔
２３            近位開口部
２４            遠位開口部
２５            膨出部
２６            段部
２７            押圧面
３０            ガイドワイヤー
４０            人工骨
４１、４２        柱状人工骨
４１ａ，４１ｂ      溝部
４３            人工骨
４３ａ          孔
４４            人工骨
４４ａ          孔
４５            人工骨
４５ａ          溝部
４６            人工骨
４６ａ，４６ｂ      部材
４６ｃ          溝部
４７            人工骨
５０            スクリュー
１０１          軟部組織
１０２          骨組織
１０３          刺入点
１０４          スクリュー刺入孔
１０５          スクリュー孔
【図１】
2018027264.tif 000003
【図２】
2018027264.tif 000004
【図３】
2018027264.tif 000005
【図４】
2018027264.tif 000006
【図５】
2018027264.tif 000007
【図６】
2018027264.tif 000008
【図７】
2018027264.tif 000009
【図８】
2018027264.tif 000010